Podtech/llm-jp-corpus-v4-ja_patent huggingface dataset:
(57)【要約】      （修正有）【課題】容器を小型化し、糠床に流動性を与え、糠床内に手を入れないで、容器ごと天地返しが出来るようにした糠漬用密閉容器を提供する。【解決手段】円筒形容器において、蓋部の中央裏側に減圧安全弁を付加し、天地返しをする為に逆さにしている間は内圧が低いので、減圧安全弁は閉じているから液漏れは無い。天地返しが終わり、蓋部を上にして置き発酵が進み内圧が上昇してくると、減圧弁が働き一定圧力以上は上昇せず、容器の圧力は守られる。【選択図】図１
0003145386.tif 000002
【実用新案登録請求の範囲】
【請求項１】
硬質プラスチック製の広口瓶の容器本体と、減圧弁を装着した蓋を、雌雄螺旋によって、蓋を随時取り外し可能にした、容器ごとの天地返しを可能とした糠漬用密閉容器
【考案の詳細な説明】
【技術分野】
【０００１】  本考案は一般家庭で作ることができる副食品の糠漬を更に簡便に作る方法とその容器に関する。
【背景技術】
【０００２】  従来の糠床は家庭で米糠に重量比で約７％位の塩と適宜量の水を加え、味噌状になるまで練り、昆布や唐辛子などを加え、捨て漬けの為に野菜の表面に付着している植物性乳酸菌が野菜の養分を餌に繁殖し、乳酸を作り、糠床は出来上がります。【０００３】  乳酸菌の繁殖は酸素をなるべく遮断することと、糠床の温度に大きく関係があることは判っていて、乳酸菌の働きを一定にする為には温度をなるべく同じに保つことが必要で、夏の暑い時期には涼しい所に、冬には暖かい所に置く様にしますが、乳酸菌の増殖の確実なデータを求めることはきわめて困難で、一般的に周囲の温度が高ければ増殖は活発で、天地返しは時々やった方が良いこと位しか判明していない。【０００４】  よく出来た糠床は、糠味噌独特の臭いがあり、若い主婦などはこの臭いが手につくのを嫌って、ゴムやポリエチレンの手袋をして、糠床の上下を入れ替える所謂天地返しを行っているが、これを怠ると、糠床の表面には白いカビ状の産膜酵母が繁殖し、白い膜を張ったようになり、底の方では酪酸菌等が繁殖し、どちらも嫌な臭いのもとになります。これらの酵母や雑菌類を繁殖させない為に天地返しを行うのですが、天地返しをすると、味噌位の硬さの糠床では乳酸菌が嫌う空気の塊が糠床に入るので表面を押さえつけて空気を追い出さなければならず、この作業を怠ると乳酸菌の増殖は弱まり、味も悪くなるし、作業は甚だ面倒なので、仕舞いには糠漬を諦める人が多い。
【考案の開示】
【考案が解決しようとする課題】
【０００５】  前述のように、糠漬をおいしく漬ける為には、時々天地返しを行うことが必要で、天地返しを行った後、糠床に含まれた空気を丁寧に抜くことが必要で、本発明では、手を糠床に入れずに天地返しが出来ないか、糠床に含まれた空気も自然に抜ける方法は無いかと考え、本考案の課題とした。
【課題を解決する為の手段】
【０００６】  従来の糠漬の容器は概して大きく、糠床の重さで５ｋｇ以上あるのが当たり前だったが、今は小人数世帯が多くなり、住居の様子も変化したので、１ｋｇ位のもので竪型のものが使い勝手がよく、必要に応じて数を増やせば、野菜の品目ごとに漬けた容器に品名や食べ頃等を記入しでおくことも出来るので甚だ便利である。
【０００７】  糠床に手を入れずに天地返しをするには、容器を密閉状態にして、容器全体を逆さまにした時に糠床が混合すれば良いと考え、糠床の硬さを従来よりも少し軟らかくし流動性を与えた。
【０００８】  容器全体を逆さまにするには丸か四角の筒型で立てて使うのが都合が良いので、本考案では断面が円形の有底筒状とし、その開放口に雌雄螺旋を設けこれをねじ合わせることにより、密閉し得るようにした。この様な容器は種々販売されているが、糠漬用容器としては前述のように天地返しをするのと、発酵して内部圧力が上昇するので、そのままでは使用し得ない。
【０００９】  課題のように使用するには、天地返し、即ち蓋部を下にして底部を上にして使用する時、液漏れせず、又蓋を上にして熟成させる間は、発酵によって生ずるガスを放出させなければならない。
【００１０】  蓋部の中央裏側に減圧安全弁を付加し、天地返しをする為に逆さにしている間は内圧が低いので、減圧安全弁は閉じているから液漏れは無い。天地返しが終わり、蓋部を上にして置き発酵が進み内圧が上昇してくると、減圧弁は働き一定圧力以上は上昇せず、容器の圧力は守られる。
【考案の効果】
【００１１】  上述したように本考案の糠漬の容器を使用して糠漬を作れば、手を汚さず誰でも容易に、おいしくて栄養豊富な植物性乳酸菌食品が得られる。
【考案を実施する為の最良の形態】
【００１２】以下、本考案の実施の形態を図１〜図２に基づいて説明する。
【００１３】  図において１は透明の硬質プラスチックにしてブロー成型法によって成型され、肉厚は２〜３粍で、直径約１０ｃｍ全高約１８ｃｍ位の有底円筒形にして開口部は雄螺旋を有する容器本体である。２は容器本体の雄螺旋と螺合する雌螺旋を有する蓋部にしてパッキン３と減圧安全弁４を有する。
【使用法】
【００１４】  初めて使用する場合は円筒形容器１に既に熟成した糠床に重量比で５％位の水を加え、普通の糠床より軟らかくして円筒形の容器１に半分くらい入れ、これに食材を差し込む様に入れ、容器の上部に空隙部が２ｃｍ位残るように、軟らかくした糠床を足したり、取り出したりした後、蓋を閉じる。そのまま、１日乃至２日経過すれば賞味できる。
【００１５】  次に食材を取り出した後、天地返しをする場合、食材が入っていない状態で蓋を強く締めて容器ごと天地返しを４、５回繰り返した後、新しい食材を挿入し蓋を上にして立てて置けば作業は終わりである。
【図面の簡単な説明】
【００１６】
【図１】  本考案の糠漬容器の実施例を示す正面一部切欠図である。
【図２】  本考案の糠漬容器の実施例を示す平面図である。
【符号の説明】
１  円筒形容器
２  蓋
３  パッキン
４  減圧安全弁
【図１】
0003145386.tif 000003
【図２】
0003145386.tif 000004
(57)【要約】      （修正有）【課題】容器を小型化し、糠床に流動性を与え、糠床内に手を入れないで、容器ごと天地返しが出来るようにした糠漬用密閉容器を提供する。【解決手段】広口瓶の容器本体と、蓋のそれぞれ一つの直径上の外側２ヶ所に同型の引掛け留め金具を装備し、蓋と容器本体との間にゴム系パッキンを設け、蓋を随時取り外し可能にし、容器ごとの天地返しを可能とした糠漬用密閉容器である。【選択図】図１
0003145385.tif 000002
【実用新案登録請求の範囲】
【請求項１】
広口瓶の容器本体と、蓋のそれぞれ一つの直径上の外側２ヶ所に同型の引掛け留め金具を装備し、蓋と容器本体との間にゴム系パッキンを設け、蓋を随時取り外し可能にした、容器ごとの天地返しを可能とした糠漬用密閉容器
【考案の詳細な説明】
【技術分野】
【０００１】  本考案は一般家庭で作ることができる副食品の糠漬を更に簡便に作る方法とその容器に関する。
【背景技術】
【０００２】  従来の糠床は家庭で米糠に重量比で約７％位の塩と適宜量の水を加え、味噌状になるまで練り、昆布や唐辛子などを加え、捨て漬けの為に野菜の表面に付着している植物性乳酸菌が野菜の養分を餌に繁殖し、乳酸を作り、糠床は出来上がります。【０００３】  乳酸菌の繁殖は酸素をなるべく遮断することと、糠床の温度に大きく関係があることは判っていて、乳酸菌の働きを一定にする為には温度をなるべく同じに保つことが必要で、夏の暑い時期には涼しい所に、冬には暖かい所に置く様にしますが、乳酸菌の増殖の確実なデータを求めることはきわめて困難で、一般的に周囲の温度が高ければ増殖は活発で、天地返しは時々やった方が良いこと位しか判明していない。【０００４】  よく出来た糠床は、糠味噌独特の臭いがあり、若い主婦などはこの臭いが手につくのを嫌って、ゴムやポリエチレンの手袋をして、糠床の上下を入れ替える所謂天地返しを行っているが、これを怠ると、糠床の表面には白いカビ状の産膜酵母が繁殖し、白い膜を張ったようになり、底の方では酪酸菌等が繁殖し、どちらも嫌な臭いのもとになります。これらの酵母や雑菌類を繁殖させない為に天地返しを行うのですが、天地返しをすると、味噌位の硬さの糠床では乳酸菌が嫌う空気の塊が糠床に入るので表面を押さえつけて空気を追い出さなければならず、この作業を怠ると乳酸菌の増殖は弱まり、味も悪くなるし、作業は甚だ面倒なので、仕舞いには糠漬を諦める人が多い。
【考案の開示】
【考案が解決しようとする課題】
【０００５】  前述のように、糠漬をおいしく漬ける為には、時々天地返しを行うことが必要で、天地返しを行った後、糠床に含まれた空気を丁寧に抜くことが必要で、本発明では、手を糠床に入れずに天地返しが出来ないか、糠床に含まれた空気も自然に抜ける方法は無いかと考え、本考案の課題とした。
【課題を解決する為の手段】
【０００６】  従来の糠漬の容器は概して大きく、糠床の重さで５ｋｇ以上あるのが当たり前だったが、今は小人数世帯が多くなり、住居の様子も変化したので、１ｋｇ位のもので竪型のものが使い勝手がよく、必要に応じて数を増やせば、野菜の品目ごとに漬けた容器に品名や食べ頃等を記入しでおくことも出来るので甚だ便利である。
【０００７】  糠床に手を入れずに天地返しをするには、容器を密閉状態にして、容器全体を逆さまにした時に糠床が混合すれば良いと考え、糠床の硬さを従来よりも少し軟らかくし流動性を与えた。
【０００８】  容器全体を逆さまにするには円筒形で竪型に使うのが都合がよいので本考案では断面が円形の有底筒状とし、蓋との接合は引掛け留め金とし、蓋を容易に取り外し洗浄出来るようにした。
【０００９】  課題のように使用するには、蓋部を下にし底部を上にしても漬け汁が漏れてはならず、又発酵して内圧が上昇した時発生したガスを放出させなければならない。又洗うことが必要なこともあるので、容器と蓋は分離出来る事が望ましい。
【考案の効果】
【００１０】  上述したように、本考案の糠漬の容器を使用すれば、誰でもおいしくて栄養豊富な植物乳酸菌食品を容易に作ることが出来る。
【考案を実施する為の最良の形態】
【００１１】  以下、本考案の実施の形態を図１〜図３に基づいて説明する。
【００１２】  図において１は透明のガラス又は、硬質プラスチック製の有底の容器本体で、肉厚３粍位、直径約１０ｃｍ、全高約１８ｃｍ位で、２は容器本体の開口部を封じる為の蓋部でそれぞれには引掛け留め金部品４、５、６、７、８、９があり、パッキン３を介して容器本体１と蓋部２とは取り付け、取り外し自在に構成されている。
【使用法】
【００１３】  初めて使用する場合、既に成熟した糠床に重量比で５％位の水を加え、普通の糠床より軟らかくしたものを容器１に半分位入れ、これに食材を差し込むように入れ、容器の上部に空隙部が２ｃｍ位残るように軟らかくした糠床を足したり、取り出したりして係止金具で蓋を締め、そのまま１日乃至２日経過すれば賞味できる。
【００１４】  次に食材を取り出した後、天地返しをする場合、食材が入っていない状態で蓋をして容器ごと天地返しを４、５回繰り返した後、新しい食材を挿入し、蓋をして立てておけば作業は終わる。
【００１５】  発酵が進むとガスが発生、容器内の圧力は上昇し、引掛け留め金具部品９又は９′が変形して容器本体１とゴムパッキン３との間で漏出して、一定圧力以上には上昇しないようになっている。
【図面の簡単な説明】
【００１６】
【図１】  本考案の糠漬容器の実施例を示す正面図である。
【図２】  本考案の糠漬容器の実施例を示す側面図である。
【図３】  他の引掛け留め金具の他の一例９′の正面図及び側面図である。
【符号の説明】
【００１７】  １    容器本体
２    蓋部
３    パッキン
４    ５、６、７、８、９、９′引掛け留め金具部品
【図１】
0003145385.tif 000003
【図２】
0003145385.tif 000004
【図３】
0003145385.tif 000005
(57)【要約】      （修正有）【課題】竹から生まれる素朴な音色を持ち、身近な素材と手軽な道具で簡単に製造出来ることに加え、竹の太さや長さを変えたことで、幅広い調の楽器の製造を可能とした竹製オカリナを提供する。【解決手段】竹の空洞を利用した円筒状の共鳴胴部の角の吹口２から、共鳴胴部１の側面に開口する歌口に向かい、側面に沿って形成されたトンネル状の気道を有する笛口部と、予め設定された位置に音程に対応してあけられた指孔５ａ〜５ｊによって形成されていて、竹の太さや長さを調節して共鳴胴部の容積を変えたことにより、幅広い調の楽器の製造を可能とする。【選択図】図１
0003145383.tif 000002
【実用新案登録請求の範囲】
【請求項１】
竹の空洞を利用した円筒状の共鳴胴部の角の吹口から、共鳴胴部の側面に開口する歌口に向かい、側面に沿って形成されたトンネル状の気道を有する笛口部と、予め設定された位置に音程に対応した指孔が形成された竹製オカリナであって、竹の素材から生まれる素朴な音色が出せることを特徴とする竹製オカリナ。
【請求項２】
陶磁製のオカリナのように製造課程で焼成する必要が無く、竹という軽くて丈夫で加工しやすい身近な素材と手軽な道具で、簡単に製造することが出来ることを特徴とする請求項１に記載された竹製オカリナ。
【請求項３】
竹の太さや長さを調節して共鳴胴部の容積を変えたことにより、陶磁製のオカリナよりも幅広い調の楽器を製造することができることを特徴とする請求項１に記載された竹製オカリナ。
【考案の詳細な説明】
【技術分野】
【０００１】本考案は、竹から生まれる素朴な音色を持ち、身近な素材と手軽な道具で簡単に製造出来ることに加え、竹の太さや長さを変えたことで、幅広い調の楽器の製造を可能とした竹製オカリナを提供する。
【背景技術】
【０００２】陶磁製のオカリナは、成形型に粘土を入れて成形したものに、粘土が柔らかいうちに笛口の端から歌口に向けて竹ヘラ等を差し込んで気道を形成し、指孔をあけて乾燥させたものを焼き窯で焼成していた。
【考案の開示】
【考案が解決しようとする課題】
【０００３】従来の陶磁製オカリナは、成形型に粘土を入れて成形したものに、笛口の端から歌口に向けて竹ヘラ等を差し込んで気道を形成するというもので、良質の音色を出すための気道の形成は高度の技術を要する難しい作業であり、粘土が柔らかいうちに製作しなければならないことに加え、乾燥させて焼き窯で焼成しなければならないという手間のかかる物であった。
【課題を解決するための手段】
【０００４】竹製オカリナは、竹の空洞を利用した円筒状の共鳴胴部の角の吹口から、共鳴胴部の側面に開口する歌口に向かい、側面に沿って形成されたトンネル状の気道を有する笛口部と、予め設定された位置に音程に対応してあけられた指孔によって形成されている。
【考案の効果】
【０００５】竹製オカリナは、竹の素材から生まれる素朴な音色が出せることに加え、陶磁製のオカリナのように製造課程で焼成する必要が無く、竹という軽くて丈夫で加工しやすい身近な素材と手軽な道具で簡単に製造することが出来、竹の太さや長さを調節して共鳴胴部の容積を変えたことにより、陶磁製のオカリナよりも幅広い調の楽器を製造することができた。
【考案を実施するための最良の形態】
【０００６】竹製オカリナは、竹の空洞を利用した円筒状の共鳴胴部の角の吹口から、共鳴胴部の側面に開口する歌口に向かい、側面に沿って形成されたトンネル状の気道を有する笛口部と、予め設定された位置に音程に対応した指孔が形成されている。
【実施例】
【０００７】以下、本発明を図面に示す実施例を参照しながら具体的に説明する。図１は竹製オカリナの正面図、図２はその背面図、図３は笛口部の構造、図４は運指表である。これらの図において、１は竹製オカリナ胴部、２は吹口、３は歌口、４は気道、５ａから５ｊは、指孔である。【０００８】図３は笛口部の構造（断面図）で、節でふさがれている側の竹の角を吹口とし、そこから１５〜２０ｍｍの場所に、直径８０ｍｍの歌口があり、そこに向かって、吹口から１，５ｍｍ×８０ｍｍのトンネル状の気道が掘られていて、吹き口の反対側の歌口の側面を、吹き口から入った空気が半分は胴部の内部へ、半分は外に出るようになっている。この時、吹口の孔からから歌口をのぞくと、歌口の側面を削って出来たエッジのラインが、一直線に見えるようになっている。【０００９】音が出た際に、節で塞がれていないもう一方の部分を塞いで出た音が、この竹製オカリナの主音で、目的の調にするために竹の長さを切って調整した上で、竹の形に合わせて切った５ｍｍ程度の厚さの板を張り付けて塞いでいる。【００１０】図４の運指表のように、予め設定された位置に音程に対応した指孔があけられている。この時、Ｃ管の場合、各指孔のうちの全てを塞ぐとドになり、５ａを開けるとレ、５ｂはミ、５ｃはファ、５ｄはソ、５ｅはラ、５ｆはシ、５ｇはド、５ｈはレ、５ｉはミ、そして５ｊを開けると、ファの音が鳴るように指孔があけられている。【００１１】太さや長さの違う竹を使用し、共鳴胴部の容積を変えたことにより、陶磁製のオカリナよりも幅広い調の楽器を製造することが可能となった。ちなみにＣ管の場合は、直径４〜５ｃｍ、長さ８〜１０ｃｍ程度の竹で形成されている。
【産業上の利用可能性】
【００１２】身近な素材と道具を使って簡単に製造することが出来、軽くて丈夫で、焼成する必要がない上に、素朴な音色と輻広い音域を出すことが出来るので、教育の分野などで、広く活用されることが期待される。
【図面の簡単な説明】
【００１３】
【図１】竹製オカリナの正面図
【図２】竹製オカリナの背面図
【図３】笛口部の構造（断面図）
【図４】運指表
【符号の説明】
【００１４】１  竹製オカリナ胴部
２  吹口
３  歌口
４  気道
５ａ〜５ｊ  指孔
【図１】
0003145383.tif 000003
【図２】
0003145383.tif 000004
【図３】
0003145383.tif 000005
【図４】
0003145383.tif 000006
(57)【要約】      （修正有）【課題】ユニバーサル配線板に回路作成するとき、信頼性の高い配線を短時間で出来る横開ランド連結配線導体を提供する。【解決手段】ユニバーサル配線板ランドの上に位置する部分に、横開ランド部分があり横開ランドを連結してある導体である。横開部分があることにより、ランドと部品リード線と本配線導体の３点が確実に接続されていることが確認出来、横開部分がガイドとなるため短時間で固定が可能な導体である。重ねて配置することにより、Ｌ字形Ｔ字形十字形等の縦横分岐配線が出来る、又１．４１倍ピッチで製作された導体は、Ｖ字形Ｘ字形の斜め分岐配線が出来る、よって２種類の本導体によりあらゆる回路作成が可能である。先開ランドを多数連結した構造を１列とし、数列連結したシート状とすることにより保管管理が簡単になる。【選択図】図１
0003145388.tif 000002
【実用新案登録請求の範囲】
【請求項１】
ユニバーサル配線板ランドの上に位置する部分に、横開ランド部分があり横開ランドを多数連結した構造にして、必要ランド数を切断して使用する配線導体。
【請求項２】
横開ランド部分の形状が半円形又は多角形の請求項１に記載の配線導体。
【請求項３】
ユニバーサル配線板ランド縦横ピッチと同一ピッチの縦横に使用する請求項１に記載の配線導体。
【請求項４】
ユニバーサル配線板ランド縦横ピッチの１．４１倍ピッチの斜め配線に使用する請求項１に記載の配線導体。
【請求項５】
横開ランドを多数連結した構造を１列とし、数列連結しシート状にした請求項１に記載の配線導体。
【考案の詳細な説明】
【技術分野】
【０００１】  本考案は、ユニバーサル配線板に回路作成する際に使用し、信頼性の高い製品を短時間に作るのに役立つ配線導体に関するものである。
【背景技術】
【０００２】  従来ユニバーサル配線板に回路作成する際、ランドに部品リード線と電線ジャンパー線を半田付けして行っていた。
【考案の開示】
【考案が解決しようとする課題】
【０００３】  ユニバーサル配線板に回路作成する際、半田面を上にして部品のリード線をランド穴の下から上へ差し込み、リード線を少し折り曲げ半固定しランド上でジャンパー線とリード線を半田付けして接続し、回路構成するのが一般的であったが、ジャンパー線の位置固定が困難であり、又部品取替が困難であり、接続点の信頼性も低く、回路変更も困難であった。
【考案を解決するための手段】
【０００４】  本配線導体は、ユニバーサル配線板ランドの上に位置する部分に、横開ランド部分があり横開ランドを連結してある導体である。
横開部分があることにより、ランドに部品リード線と本配線導体を半田付けしたとき、３点が確実に接続されていることが確認出来、ランドとの接触面積も多くなり、ジャンパー線より信頼性の高い接続が出来る導体である。
ランドと部品リード線に対し、横開部分がガイドとなるため本配線導体を固定するとき短時間で簡単に固定が可能で信頼性の高い接続が出来る導体である。
【考案の効果】
【０００５】  本配線導体はランドの一部が横開になっているため、回路変更する際不用な部分は少し浮かすことにより、切断引抜きが出来る、又追加延長が必要なときはリード線の横から挿入出来るため短時間に回路変更が可能である。
部品のリード線も短くカット出来るので部品取外し、取替再利用が可能である。
【考案を実施するための最良の形態】
【０００６】  ユニバーサル配線板ランドの上に位置する部分に、横開ランド部分があり横開ランドを多数連結した構造にして、必要ランド数を切断して使用する導体である。
厚さが薄いため重ねて配置することにより、Ｌ字形Ｔ字形十字形等の縦横分岐配線も可能である。又１．４１倍ピッチで製作された導体は、Ｖ字形Ｘ字形の斜め分岐配線も可能である。
横開ランドを多数連結した構造を１列とし、数列連結したシート状とすることにより保管管理が簡単になる。
【実施例】
【０００７】  以下、添付図面により実施例を説明する。［図５］の回路例に対して、［図６］のように、図１の横開ランド連結導体を６本、図２の横開ランド連結導体を２本用意し、［図７］の配置でランドに部品リード線と本配線導体を半田付けして完成となる。
【産業上の利用可能性】    実施例に示したように短時間で回路作成が出来、試験後の回路変更も短時間で出来るので、少数生産、試作などで信頼性の高い製品開発に役立てることが出来る導体である。
【図面の簡単な説明】
【０００８】
【図１】縦横配線に使用する基本的なピッチの本導体平面図の一部である。
【図２】４５度斜め配線に使用する１．４１倍ピッチの本導体平面図の一部である。
【図３】上部が図１の本導体で、本導体の表裏にメッキ層が有り３層構造の拡大断面図、下部が図４のユニバーサル配線板の拡大断面図の一部で絶縁板にランドが接着されリード線穴がある。
【図４】基本的なユニバーサル配線板で、縦横に等間隔にランドが配置されランドの中心にリード線穴がある平面図の一部である。
【図５】実施例としての５Ｖ電源回路図である。
【図６】実施例に使用する図１の横開ランド連結導体６本、図２の横開ランド連結導体２本の横開ランド連結導体平面図である。
【図７】実施例をユニバーサル配線板のランドに部品リード線と本配線導体を配置し作成した平面図である。
【図１】
0003145388.tif 000003
【図２】
0003145388.tif 000004
【図３】
0003145388.tif 000005
【図４】
0003145388.tif 000006
【図５】
0003145388.tif 000007
【図６】
0003145388.tif 000008
【図７】
0003145388.tif 000009
(57)【要約】      （修正有）【課題】操作性に優れた、持ち運びに便利な小型のパソコン用マウスを提供する。【解決手段】アーチ型に構成したパソコン用マウスであり、アーチ型の前方部１１には人差し指と中指を乗せる幅と長さを有し、アーチ型の中央部１２及び後方部１３には手のひらを乗せる幅と長さを有することで手全体を支えることができ、アーチ型の中央に空間部を有することで薬指及び小指を中央空間部に折り曲げることができる形状であり、アーチ型の中央部を支点に前方部と後方部を折りたたむ構造を有することで持ち運びに便利な小型サイズになる。【選択図】図１
0003145391.tif 000002
【実用新案登録請求の範囲】
【請求項１】
アーチ型に構成したパソコン用マウスであり、アーチ型の前方部には人差し指と中指を乗せる幅と長さを有し、アーチ型の中央部及び後方部には手のひらを乗せる幅と長さを有することで手全体を支えることができ、アーチ型の中央に空間部を有することで薬指及び小指を中央空間部に折り曲げることができる形状を特徴とするパソコン用マウス。
【請求項２】
アーチ型の中央部を支点に前方部と後方部を折りたたむ構造を有することで持ち運びに便利な小型サイズになることを特徴とする請求項１に記載のパソコン用マウス。
【考案の詳細な説明】
【技術分野】
【０００１】  本考案は、パソコン用マウスの形状に関するものである。
【背景技術】
【０００２】  パソコン用マウスにおける、携帯性を高めるための形状には、通常のパソコン用マウスをそのまま小型にした形状や、薄いカード型の形状などがあった。
【考案の開示】
【考案が解決しようとする課題】
【０００３】  しかしながら、いずれも携帯性を高めることを優先しているため、その形状は操作する手の形に合わず、通常のパソコン用マウスと比べて操作性が劣る不都合があった。【０００４】  この考案の課題は、これらの不都合を解消することである。
【課題を解決するための手段】
【０００５】  前記課題を解決するために、本発明のパソコン用マウスは、アーチ型の形状を有し、アーチ型の前方部に人差し指と中指を乗せる幅と長さを有し、アーチ形の中央部及び後方部には手のひらを乗せる幅と長さを有し、中央に薬指及び小指を折り曲げることができる空間部を有しながら、アーチ型の中央部を支点に前方部と後方部を折りたたむ構造を有する。
【考案の効果】
【０００６】    本発明のパソコン用マウスは上記のように構成されているためすなわちアーチ型の形状を有し、かつ、人差し指及び中指並びに手のひらを乗せる幅と長さを有する構造により、操作時には手全体を支えることができ、中央に空間部を有する構造により、薬指及び小指を自然に折り曲げて握ることができるので疲れにくく、さらに、折りたたむ構造を有するために、折りたたむことで、持ち運びに便利な小型サイズになることができる。
【考案を実施するための最良の形態】
【０００７】  以下、考案を実施するための形態を説明する。【０００８】  図１は前方から見たパソコン用マウスの斜視図であり、その形状はアーチ型に構成しており、アーチ型前方部１１には人差し指と中指を乗せる幅と長さを有し、アーチ型中央部１２及びアーチ型後方部１３には手のひらを乗せる幅と長さを有することで手全体を支えることができ、中央空間部１４を有することで薬指及び小指を中央空間部に折り曲げることができる形状となっている。【０００９】  図２は後方から見たパソコン用マウスの斜視図である。【００１０】  図３はパソコン用マウスの実施形態を示す斜視図である。【００１１】  図４はパソコン用マウスの実施形態を裏面から見た図である。【００１２】  図５はパソコン用マウスを折りたたんだ状態を示す斜視図であり、アーチ型の中央部を支点に前方部と後方部を折りたたむ構造を有することで持ち運びに便利な小型サイズになることができる。
【産業上の利用可能性】
【００１３】  近年、パソコン用のマウスは、手にフィットした操作性の良さと疲れにくさが求められると同時に、持ち運びに便利な小型化が求められており、この考案に係るパソコン用マウスは、手全体を支えることができる十分な大きさと形状を有し、薬指及び小指を中央空間部に折り曲げることができるため、操作性が良く疲れにくいパソコン用マウスを実現できるとともに、折りたたむ構造を有することで、持ち運びに便利な小型サイズになることができるため、有用性が高い。
【図面の簡単な説明】
【００１４】
【図１】前方から見たパソコン用マウスの斜視図である。
【図２】後方から見たパソコン用マウスの斜視図である。
【図３】パソコン用マウスの実施形態を示す斜視図である。
【図４】パソコン用マウスの実施形態を裏面から見た図である。
【図５】パソコン用マウスを折りたたんだ状態を示す斜視図である。
【符号の説明】
【００１５】    １１  ・・・  アーチ型前方部
１２  ・・・  アーチ型中央部
１３  ・・・  アーチ型後方部
１４  ・・・  中央空間部
１６  ・・・  中央空間部に折り曲げた薬指と小指
【図１】
0003145391.tif 000003
【図２】
0003145391.tif 000004
【図３】
0003145391.tif 000005
【図４】
0003145391.tif 000006
【図５】
0003145391.tif 000007
(57)【要約】      （修正有）【課題】はしごから床に、又は床からはしごに乗り移る時、及び床で作業中にはしごの両枠の間から、墜落又は転落を防止できる安全はしごを提供する。【解決手段】従来のアルミ合金製単はしご１、又は二連はしごの接地面側と反対側の両枠の長さが、最上段の踏みさんから六十センチメートル以上２になるように、製作する。六十センチメートル以上に長くした、はしごの両枠の上部側に取り付ける、開閉できる金属の棒状３のものは、従来のアルミ合金製の踏みさんより、少し径の小さいものを使い、従来の踏みさんの両枠の取り付け穴の位置より押し出される側に穴を通して、蝶番５を介して、はしごの片方の枠に取り付ける。そして、金属の棒状のものが開閉できるように、両枠の押し出される側の枠を、切り欠いて４、帯状の金属板６を取り付けて、下方向に掛かったときの荷重を受け、蝶番部が損傷しないようにする。【選択図】図１
0003145398.tif 000002
【実用新案登録請求の範囲】
【請求項１】
（イ）はしご（１）の踏さんを固定している両枠の、接地面側と反対側の両枠を、最上段の踏さんから六十センチメートル以上に長く（２）する。
（ロ）長くしたはしごの両枠（２）の上部側に、開閉できる金属の棒状のもの（３）を取り付ける。
以上の如く構成された、安全に乗り移りができる安全はしご。
【請求項２】
長くしたはしごの両枠（２）の上部側に、押し出される側の枠に切り欠いた穴（４）をあけ、これの片方の枠に金属の棒状のもの（３）を、蝶番（５）で取り付けた、請求項１の安全はしご。
【請求項３】
押し出される側の枠に切り欠いた穴（４）をあけ、これに金属の棒状のもの（３）を、蝶番（５）で取り付けた側の枠の下側四方と、及び蝶番（５）の取り付けていない側の枠の下側四方に、帯状の金属板（６）を取り付けた、請求項１の安全はしご。
【考案の詳細な説明】
【技術分野】
【０００１】本考案は、はしごから床に、又は床からはしごに乗り移る時、及び床で作業中にはしごの両枠の間から、墜落又は転落を防止するための、安全はしごに関するものである。
【背景技術】
【０００２】従来、はしごの最上段の踏みさんから、両枠の上端までの長さは短くはしごの上端を床から六十センチメートル以上突出すと、はしごの踏みさんが邪魔になって、はしごの両枠の間を通って、はしごから床に又は、床からはしごに、安全に乗り移りができなかった。
【考案の開示】
【考案が解決しようとする課題】
【０００３】（イ）従来、いろいろのはしごはあったが、労働安全衛生規則第五百五十六条（はしご道）五項の、はしごの上端を床から六十センチメートル以上突出させること、を遵守するとき、踏みさんが邪魔になって、はしごの両枠の間を通れず、はしごから身体を乗り出して、床に乗り移る。このとき、安全に乗り移りができないため、墜落又は転落する。
（ロ）同様に、床からはしごに乗り移るときは、床から身体を乗り出して、はしごに乗り移り、このとき、墜落又は転落する。
【課題を解決するための手段】
【０００４】（イ）はしご（１）の踏みさんを固定している両枠の、接地面側と反対側の両枠を、最上段の踏みさんから六十センチメートル以上に長く（２）する。
（ロ）長くしたはしごの両枠（２）の上部側に、開閉できる金属の棒状のもの（３）を取り付ける。
以上の如く構成された、安全に乗り移りができる安全はしご。
【考案の効果】
【０００５】（イ）したがって、はしごの最上段の踏みさんが、床の高さと同じ位置にくるようにはしごを設置すれば、はしごの上端を床から六十センチメートル以上突出せるので、労働安全衛生規則第五百五十六条五項を遵守し、さらに、はしごの両枠を握って、はしごの両枠の間を通って、はしごから床に、床からはしごに、安全に乗り移りができるため、墜落又は転落が防げる。
（ロ）開閉できる金属の棒状のものは、床で作業中は閉めておいて、はしごの両枠の間から、墜落又は転落するのを防ぐ。
【考案を実施するための最良の形態】
【０００６】（イ）従来のアルミ合金製単はしご、又は二連はしごの接地面側と反対側の両枠の長さが、最上段の踏みさんから六十センチメートル以上になるように、製作する。
（ロ）六十センチメートル以上に長くした、はしごの両枠の上部側に取り付ける、開閉できる金属の棒状のものは、従来のアルミ合金製の踏みさんより、少し径の小さいものを使い、従来の踏みさんの両枠の取り付け穴の位置より押し出される側に穴を通して、蝶番を介して、はしごの片方の枠に取り付ける。
（ハ）そして、金属の棒状のものが開閉できるように、両枠の押し出される側の枠を、切り欠いて、請求項３で述べているように、帯状の金属板を取り付けて、下方向に掛かったときの荷重を受け、蝶番部が損傷しないようにする。
【産業上の利用可能性】
【０００７】
【図面の簡単な説明】
【０００８】
【図１】本考案を示した斜視図である。
【符号の説明】
【０００９】  １  はしご    ２  長くした両枠    ３  開閉できる金属の棒
４  切り欠いた穴    ５  蝶番    ６帯状の金属板
【図１】
0003145398.tif 000003
(57)【要約】      （修正有）【課題】目薬を差すときの目薬差し補助具において、補助具が瞼に当たらず、瞼の炎症や損傷を起すことのない目薬差し補助具を提供する。【解決手段】レンズ枠２、レンズ３及び鼻掛け部５をそなえ、レンズ枠につる６を連結ネジ７にて連結した眼鏡において、眼鏡の左右のレンズの中央部に、それぞれ縦の長穴４を設けた、眼鏡型目薬差し補助具である。【選択図】図１
0003145394.tif 000002
【実用新案登録請求の範囲】
【請求項１】
レンズ枠、レンズ及び鼻掛け部をそなえ、レンズ枠につるを連結ネジにて連結した眼鏡において、眼鏡の左右のレンズの中央部に、それぞれ縦の長穴を設けた、眼鏡型目薬差し補助具。
【請求項２】
レンズ枠、レンズ及び鼻掛け部を一体化し、該一体化したレンズ枠につるを連結ネジにて連結した眼鏡において、眼鏡のレンズの左右の目に当たる中央部に、それぞれ縦の長穴を設けた、眼鏡型目薬差し補助具。
【考案の詳細な説明】
【技術分野】
【０００１】  本考案は、目薬差し補助具に関するものである。
【背景技術】
【０００２】  通常目薬を差すときは、目薬容器を目の上に持っていき、直接差すことが多かったが、薬液を目の中に確実に落とすことは難しく、薬液を無駄にすることも多かった。
そこで、薬液を目の中に確実に落とすための目薬差し補助具として、色々の物が提案された。
例えば、下記のような文献がある。【０００３】
【特許文献１】登録実用新案第３００３００４号
【特許文献２】登録実用新案第３０１１０５１号
【特許文献３】特開平１０−２１１２５５
【考案の開示】
【考案が解決しようとする課題】
【０００４】  登録実用新案第３００３００４号においては、側面に窓を設けた円筒形の筒の上部に、穴及び放射状の切り込みのあるふたを設けた補助具で、該補助具のふたの穴に目薬容器の口を差込み、補助具を瞼に当てて薬液を落とすというものである。
登録実用新案第３０１１０５１号においては、円筒形の筒の上部に穴の開いたふたを設け、該ふたの穴の周囲にゴム体を取付けた補助具で、その穴に目薬容器の口を差込み、補助具を瞼に当てて薬液を落とすというものである。
特開平１０−２１１２５５においては、コの字形の本体とその先の両側に支持部を設けた補助具で、目薬容器を本体に挟み支持部を瞼に当てて薬液を落とすというものである。
上記の補助具は、薬液を目の中に確実に落とすという点では優れたものといえる。
しかし、上記の補助具はいずれも瞼に当てて薬液を落とすという点で共通しており、眼病の人は数種類の目薬を１日数回差さなければならないので、その度に補助具を瞼に当てることになる。例えば、１回に３種類の目薬を１日３回差す場合、１日に９回補助具を瞼に当てることになる。これを毎日繰り返すと瞼に炎症を起したり、損傷したりすることがある。
本考案は、上記の問題を解決するためになされたものである。
【課題を解決するための手段】
【０００５】  レンズ枠、レンズ及び鼻掛け部をそなえ、レンズ枠につるを連結ネジにて連結した眼鏡において、眼鏡の左右のレンズの中央部に、それぞれ縦の長穴を設けた、眼鏡型目薬差し補助具である。
【考案の効果】
【０００６】  本考案を用いれば、目薬差し補助具が直接瞼に触れることがないので、瞼の炎症や損傷を起さず、確実に薬液を目の中に落とすことができる。
また、本考案は眼鏡型なので、一度眼鏡をかければ、そのままで左右の目に目薬を差すことができる。
【考案を実施するための最良の形態】
【０００７】  本考案の実施の形態を、図１により説明する。
通常の眼鏡の構造を分別すると、レンズ枠（２）、レンズ（３）、鼻掛け部（５）、つる（６）及びレンズ枠（２）とつる（６）とを連結する連結ネジ（７）よりなっている。
本考案は、上記のような眼鏡の左右のレンズ（３）の中央部に、それぞれ縦の長穴（４）を設けたものである。縦の長穴（４）は、レンズ（３）の中心より少し上寄りに設ける。また穴の巾は、目薬容器（１２）の口が丁度入る巾で、かつ口の先がレンズ（３）の内側にとび出さない巾とする。
【実施例】
【０００８】  請求項２による本実施例においては、前記実施形態における眼鏡のレンズ枠（２）、レンズ（３）、鼻掛け部（５）が一体に成形されるので、これを枠一体型レンズ（８）とする。この枠一体型レンズ（８）の左右の目に当たる中央部に、それぞれ縦の長穴（９）を設ける。枠一体型レンズ（８）を成形するとき、縦の長穴（９）も同時に成形される。縦の長穴（９）の巾は、目薬容器（１２）の口が丁度入る巾で、かつ口の先がレンズ（３）の内側にとび出さない巾とする。
枠一体型レンズ（８）につる（１０）を連結ネジ（１１）により連結する。本実施例を図２に示す。【０００９】  本考案を使用する場合、目薬容器（１２）の口を縦の長穴（４）又は縦の長穴（９）に差し込んで薬液を目の中に落とす。寝た状態で目薬を差す場合は、目薬容器（１２）の口を縦の長穴（４）又は縦の長穴（９）の下寄りに持っていくと丁度目の上にくるが、起きた状態で差す場合は、縦の長穴（４）又は縦の長穴（９）の上寄りに持っていかないと目の上にこないので目視で確認しながら位置を調整する。
【図面の簡単な説明】
【００１０】
【図１】本考案の斜視図
【図２】本考案の別の実施例を示す斜視図
【図３】本考案を用いて目薬を差す状態を示す参考図
【符号の説明】
【００１１】  １  本考案の目薬差し補助具
２  レンズ枠
３  レンズ
４  縦の長穴
５  鼻掛け部
６  つる
７  連結ネジ
８  枠一体型レンズ
９  縦の長穴
１０  つる
１１  連結ネジ
１２  目薬容器
【図１】
0003145394.tif 000003
【図２】
0003145394.tif 000004
【図３】
0003145394.tif 000005
(57)【要約】      （修正有）【課題】緊急時に発信される緊急地震速報および津波警報などの電波情報を受信する装置を有する時計を提供する。【解決手段】緊急時に発信される電波１を、時計に設置されたアンテナ２が感知し、時計内に設けられた集積回路３により情報が分析される。その情報は、テジタルまたはデジアナ文字盤の場合には、音、振動、発光、または文字表示などで情報を伝達する。また、アナログ文字盤の場合には、音、振動、発光、またはＬＥＤの色の変化などで情報を伝達する。この時計の受信装置は、常時電源が入っているため、テレビジョンやラジオのない場所、および携帯電話の電源を入れることのできな病院や学校などにおいても、緊急情報を伝達することが可能である。【選択図】図１
0003145397.tif 000002
【実用新案登録請求の範囲】
【請求項１】
緊急時に発信される緊急地震速報および津波警報などの電波情報を受信する装置を有することを特徴とする時計。
【考案の詳細な説明】
【技術分野】
【０００１】  この考案は、緊急時に発信される電波を受信し、その情報の伝達機能を有する時計（すべての形態のクロックとウオッチ）に関する。
【背景技術】
【０００２】  一般的に電波を受信する時計の機能は、時刻の修正機能のみであり、緊急時に発信される電波情報を受信できる装置はなかった。
【考案が解決しようとする課題】
【０００３】  この考案は、緊急時に発進される緊急地震速報や津波警報、およびその他の緊急時における電波情報を伝達する機能を有する装置を提供しようとするものである。
【課題を解決するための手段】
【０００４】  前記した電波情報を受信できる時計装置に関しては、実用新案登録第３１３６４８７５公報が開示されているが、消防無線や警察無線など一般人が傍受を禁止されている専用無線の受信装置である。
ここに開示された時計の受信装置の電波は、テレビジョン、ラジオ、携帯電話などの一般人が傍受できる電波による時計装置である。
【発明の効果】
【０００５】  この考案を緊急地震速報を例に説明すれば、次のとおりである。
従来の緊急地震速報の場合には、テレビジョン、ラジオおよび携帯電話が主たる受信装置であったが、電源が入っていない場合や就寝中の場合、または歩行中の人々にはその情報を伝達することが不可能であった。
この考案による時計の受信装置は、常時電源が入っているため、テレビジョンやラジオのない場所、および携帯電話の電源を入れることのできな病院や学校などにおいても、緊急情報を伝達することが可能である。
【実施例】
【０００６】  この考案による時計の装置、および作動例を説明すれば次のとおりである。
緊急時に発信される電波１を、時計に設置されたアンテナ２が感知し、時計内に設けられた集積回路３により情報が分析される。
その情報は、テジタルまたはデジアナ文字盤の場合には、音４、振動５、発光、または文字表示などで情報を伝達する。
また、アナログ文字盤の場合には、音４、振動５、発光、またはＬＥＤの色の変化などで情報を伝達する。【０００７】  また、この考案による時計のアンテナに関しては、マルチアンテナの装備により複数件の情報源の受信も可能であり、アンテナを着脱交換式にすることにより種々の使用目的に対応させることができる。
【図面の簡単な説明】
【０００８】
【図１】  この考案に係わる緊急地震速報の電波を受信した時計の説明図の一例である。
【図２】  この考案に係わる消音スイッチのＯＮにおける説明図の一例である。
【符号の説明】
【０００９】  １  緊急地震速報の電波
２  アンテナ
３  集積回路
４  着信音
５  バイブレータ
６  デジタルまたはデジアナ文字盤
７  消音スイッチ
８  時計
0003145397.tif 000003
【図１】
0003145397.tif 000004
【図２】
0003145397.tif 000005
(57)【要約】      （修正有）【課題】水田の雑草を手で引き抜く作業を解消し、膝や腰に負担がかかりにくい雑草埋没用具を提供する。【解決手段】取っ手１、鉄棒２、鉄板、を保持する雑草埋没用具を使用し、立ったままの状態で雑草を沈めることができる。鉄板は幅５ｃｍ、長さ１０ｃｍのものを折り曲げ、それを鉄棒を中心に４組溶接してなる。【選択図】図１
0003145395.tif 000002
【実用新案登録請求の範囲】
【請求項１】
幅５ｃｍ、長さ１０ｃｍの鉄板を４枚組み合せ、長さ８０ｃｍの丸棒を取り付けた、水田の雑草を沈めるための道具。
【考案の詳細な説明】
【技術分野】
【０００１】  本考案は、水田の雑草埋没用具に関する。
【背景技術】
【０００２】  従来の水田での雑草除去は、除草剤を使用したり手で直接引き抜いている。
【考案の開示】
【考案が解決しようとする課題】
【０００３】  しかし、これでは、費用がかかり体に負担がかかる。
【課題を解決するための手段】
【０００４】  そこで、幅５ｃｍ、長さ１０ｃｍの鉄板を４枚組み合わせて中心部に長さ８０ｃｍの鉄の丸棒とを溶接したものを考案した（図１）。この道具によって、立ったままの状態で水田の雑草を埋没することができる。
【考案の効果】
【０００５】  立ったままの状態で雑草を沈めることができるので膝や腰に負担がかかりにくい。また、除草剤の使用頻度を減らすことができるので稲に対する減農薬効果が期待でき、費用も軽減できる。
【考案を実施するための最良の形態】
【０００６】  本考案に係る雑草埋没用具は、図１に示すように、取っ手１、鉄棒２、鉄板３を備えている。鉄板３は、幅５ｃｍ、長さ１０ｃｍの鉄板を図２のように折り曲げ、それを鉄棒を中心に４組溶接している。図３は組み合せた鉄板を下からみた図である。
【図面の簡単な説明】
【０００７】
【図１】本考案に係る雑草埋没用具である。
【図２】幅５ｃｍ、長さ１０ｃｍの鉄板を折り曲げた図である。
【図３】本考案に係る雑草埋没用具を下から見た図である。
【符号の説明】
【０００８】  １    取っ手
２    鉄棒
３    鉄板
【図１】
0003145395.tif 000003
【図２】
0003145395.tif 000004
【図３】
0003145395.tif 000005
(57)【要約】【課題】Ａ４・Ａ５書類をファイル出来る、ファイル・フォルダー・システム手帳の類では、その大きさから常時携帯することが困難なために、Ａ４・Ａ５書類をファイル出来、かつＡ５サイズの縦半分くらいといったコンパクトな大きさの、Ａ４・Ａ５書類・用紙ファイル可能バインダー式ポケット手帳を提供する。【解決手段】Ａ４書類・用紙をまず半分に折り、Ａ５サイズにし、それを手帳等のファイルに収め、更に綴じ代にかからない程度に折り込む、そして表紙もその大きさにあわせる。つまり従来のＡ５サイズのシステム手帳を縦半分くらいの大きさにしたもので、折りたたまれた書類・用紙を開くことにより、手帳・ファイル本体よりも大きいサイズの用紙でも閲覧、書き込みすることが出来、かつその用紙を折りたたむことで、上着等のポケットに常時携帯出来るようになる。【選択図】図１
0003145310.tif 000002
【実用新案登録請求の範囲】
【請求項１】
大きさがＡ５サイズの約縦半分になる、バインダー式の手帳・ファイル・フォルダー・ノートの類で、Ａ４・Ａ５用紙を折りたたんでファイルするもの。
【考案の詳細な説明】
【技術分野】
【０００１】
本考案は、Ａ４・Ａ５書類・用紙を折りたたんだ状態でファイルすることが可能で、かつＡ５サイズの縦半分くらいといったコンパクトな大きさの、Ａ４・Ａ５書類・用紙ファイル可能バインダー式ポケット手帳に関するものである。
【背景技術】
【０００２】
従来、Ａ４・Ａ５書類・用紙をファイル出来る、ファイル・フォルダー・システム手帳の類は、多種多様に在るが、持ち歩くには鞄に入れるか、片手に持つしかなかった。
【考案の開示】
【考案が解決しようとする課題】
【０００３】
イ、Ａ４・Ａ５書類・用紙をファイル出来る、従来品のファイル・フォルダー・システム手帳の類では、大きさ的に常時携帯することが出来ない。
ロ、書類ファイルとシステム手帳とポケット手帳とが、それぞれ別々になるために、情報が分散し混乱が生じる。
ハ、携帯出来るサイズの手帳等では、用紙の面積が小さいために、図形やイメージ等が、描き込み辛い。
本考案は、以上のような欠点を無くすためになされたものである。
【課題を解決するための手段】
【０００４】
Ａ４書類・用紙をまず横半分に折り、Ａ５サイズにし（Ａ５書類場合はそのまま）、綴じ穴を開け、それをバインダーに収め、更に綴じ代にかからない程度に折り込み、そして表紙もその大きさにあわせることで、従来のＡ５サイズシステム手帳の縦半分くらいの大きさになり、上着等のポケットにて、常時携帯出来るくらいまでコンパクトな、Ａ４・Ａ５書類・用紙ファイル可能バインダー式ポケット手帳である。
【考案の効果】
【０００５】
携帯出来るサイズになるために、ファイルと、システム手帳と、ポケット手帳とを分けて持ち歩く必要が無くなり、一つの手帳に必要な情報が収まるようになり、情報の分散が無くなり混乱が生じなくなる。
又新たな効果として、Ａ４サイズを利用することで、デジタルとの相性が良くなり、パソコンでオリジナルリフィルを作成したり、スキャナー等で手帳内のデータをデジタル化することにより、過去の資料やスケジュールデータ等を、パソコン内で情報を分類したり集合させたり出来るために管理しやすくなる。
その為、必要以上に過去のデータを持ち歩く必要が無くなり、手帳を軽量化することが出来る。
更に、一般的なビジネス用紙（Ａ４サイズ）が利用出来るため、用紙の裏面を再利用も可能となり、多少ではあるが、エコロジー的な効果も期待出来る。
【考案を実施するための最良の形態】
【０００６】
以下、本考案を実施するための、最良の形態について説明する。
表紙の形状大きさは、Ａ５サイズ用のシステム手帳等の表紙を縦半分くらいにカットした長方形で、材質は、プラスティックのような軽量で丈夫なものにすることにより、更に携帯性が向上する。
又表紙を３６０度開くようにし、リングノートの様な使用感に出来ると、より特性が活かせる。
綴じ具のバインダーは、安定性から考慮すると、６穴ぐらいが良いと思われる。
中身は、Ａ５用紙を綴じ代にかからない程度に、二つ折りにしたもの。
Ａ４用紙ならば、いったん半分に折り、Ａ５サイズとし、同上のようにする。
用紙の大きさ、綴じ方、折り方は、使用者の用途に応じて、色々工夫が出来ると思います。
本考案は、以上のような構造である。
これを使用するときは、時と場所を選ぶことなく、片手でポケットから取り出し、資料やスケジュール等の必要なデータを確認したり、書き込みしたりすればよい。
【実施例１】
【０００７】
上着等によっては、ポケットに収まらない場合でも、フック等でポケットやズボンのベルトに引っ掛けて常備することが出来る。
【実施例２】
【０００８】
軽量なため、ストラップ等で首にぶら下げることも出来る。
【実施例３】
【０００９】
表紙も、折りたたみ式やスライド式にすると、用紙を拡げたときに表紙が下敷き代わりになるために、更に使用感は向上する。
【図面の簡単な説明】
【００１０】
【図１】本考案の斜視図。
【図２】本考案の平面図。
【符号の説明】
【００１１】
１    本体（手帳）
２    バインダー
３    用紙（Ａ４・Ａ５）
４    用紙折り目
５    本体折り目（背表紙）
【図１】
0003145310.tif 000003
【図２】
0003145310.tif 000004
【手続補正書】
【提出日】平成20年4月16日(2008.4.16)
【手続補正１】
【補正対象書類名】実用新案登録請求の範囲
【補正対象項目名】全文
【補正方法】変更
【補正の内容】
【実用新案登録請求の範囲】
【請求項１】
大きさがＡ５サイズの約縦半分になる、バインダー式の手帳・ファイル・フォルダー・ノートの類で、Ａ４・Ａ５用紙を折りたたんでファイルするもの。  
【手続補正書】
【提出日】平成20年7月28日(2008.7.28)
【手続補正１】
【補正対象書類名】実用新案登録請求の範囲
【補正対象項目名】全文
【補正方法】変更
【補正の内容】
【実用新案登録請求の範囲】
【請求項１】
大きさがＡ５サイズの約縦半分になる、バインダー式の手帳・ファイル・フォルダー・ノートの類で、Ａ４・Ａ５用紙を折りたたんでファイルするＡ４・Ａ５書類・用紙ファイル可能バインダー式ポケット手帳。